(57)【要約】      （修正有）【課題】偏光サングラス対策のため、観察者側の偏光膜の吸収軸を任意の方向に設定可能とする。【解決手段】第１の基準方向と前記映像線の局所的な延在方向との交差角で狭い方の角度をθ１、第２の基準方向と第２配向膜の配向軸との交差角で狭い方の角度をθ２、前記第２配向膜の配向軸と前記第１電極の前記線状部分Ａの延在方向との交差角で狭い方の角度をθ３、前記第２配向膜の配向軸と前記第１電極の前記線状部分Ｂの延在方向との交差角で狭い方の角度をθ４、第２の基準方向と前記第２偏光膜の吸収軸との交差角で狭い方の角度をθ５とし、全てのサブピクセルにおいて下記式を満足する。（１）０°≦｜θ１−θ２｜≦２°、（２）１０°≦｜θ２｜≦８０°、（３）１°≦｜θ３｜≦２０°、（４）１°≦｜θ４｜≦２０°、（５）０°≦｜θ３−θ４｜≦２°、（６）０°≦｜θ２−θ５｜≦２°、あるいは、８８°≦｜θ２−θ５｜≦９２°【選択図】図４
2009115841.tif 000002
【特許請求の範囲】
【請求項１】
第１基板と、前記第１基板よりも観察者側に配置される第２基板と、前記第１基板と前記第２基板との間に挟持されるポジ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記各サブピクセルに映像信号を入力する複数の映像線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち短辺方向に延在する線状部分Ａと線状部分Ｂとを有し、
前記映像線は、局所的に屈曲しながら全体として前記液晶表示パネルの前記表示領域の任意の一辺に沿った第１の方向に延在し、
前記第１の方向を第１の基準方向、前記第１の方向に直交する方向を第２の基準方向とし、
前記第１の基準方向と前記映像線の局所的な延在方向との交差角の中で狭い方の角度をθ１、
前記第２の基準方向と前記第２配向膜の配向軸との交差角の中で狭い方の角度をθ２、
前記第２配向膜の配向軸と前記第１電極の前記線状部分Ａの延在方向との交差角の中で狭い方の角度をθ３、
前記第２配向膜の配向軸と前記第１電極の前記線状部分Ｂの延在方向との交差角の中で狭い方の角度をθ４、
前記第２の基準方向と前記第２偏光膜の吸収軸との交差角の中で狭い方の角度をθ５とし、
それぞれ、θ１を前記第１の基準方向から、θ２、θ５を前記第２の基準方向から、θ３、θ４を前記第２配向膜の配向軸から、時計回りを正方向として−９０°〜＋９０°の範囲で測ったとき、
１つのサブピクセルの中で、θ１の符号とθ２の符号とが同じであり、かつ、１つのサブピクセルの中で、θ３の符号とθ４の符号とが互いに逆であり、かつ、全てのサブピクセルにおいて、θ１の符号が同じであり、かつ、全てのサブピクセルにおいて、下記（１）ないし（６）式を満足することを特徴とする液晶表示装置。
（１）０°≦｜θ１−θ２｜≦２°
（２）１０°≦｜θ２｜≦８０°
（３）１°≦｜θ３｜≦２０°
（４）１°≦｜θ４｜≦２０°
（５）０°≦｜θ３−θ４｜≦２°
（６）０°≦｜θ２−θ５｜≦２°、あるいは、８８°≦｜θ２−θ５｜≦９２°
【請求項２】
前記θ２は、１０°≦｜θ２｜≦４５°を満足することを特徴とする請求項１に記載の液晶表示装置。
【請求項３】
前記第２の基準方向と前記第１配向膜の配向軸との交差角の中で狭い方の角度をθ６、
前記第２の基準方向と前記第１偏光膜の吸収軸との交差角の中で狭い方の角度をθ７とし、
θ６、θ７を前記第２の基準方向から時計回りを正方向として−９０°〜＋９０°の範囲で測ったとき、０°≦｜θ２−θ６｜≦２°、８９°≦｜θ５−θ７｜≦９１°を満足することを特徴とする請求項１または請求項２に記載の液晶表示装置。
【請求項４】
第１基板と、前記第１基板よりも観察者側に配置される第２基板と、前記第１基板と前記第２基板との間に挟持されるネガ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記各サブピクセルに映像信号を入力する複数の映像線と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち短辺方向に延在する線状部分Ａと線状部分Ｂとを有し、
前記映像線は、局所的に屈曲しながら全体として前記液晶表示パネルの前記表示領域の任意の一辺に沿った第１の方向に延在し、
前記第１の方向を第１の基準方向、前記第１の方向に直交する方向を第２の基準方向とし、
前記第１の基準方向と前記映像線の局所的な延在方向との交差角の中で狭い方の角度をθ１、
前記第２の基準方向と前記第２配向膜の配向軸に直交する方向との交差角の中で狭い方の角度をΘ２、
前記第２配向膜の配向軸に直交する方向と前記第１電極の前記線状部分Ａの延在方向との交差角の中で狭い方の角度をΘ３、
前記第２配向膜の配向軸に直交する方向と前記第１電極の前記線状部分Ｂの延在方向との交差角の中で狭い方の角度をΘ４、
前記第２の基準方向と前記第２偏光膜の吸収軸との交差角の中で狭い方の角度をθ５とし、
それぞれ、θ１を前記第１の基準方向から、Θ２、θ５を前記第２の基準方向から、Θ３、Θ４を前記第２配向膜の配向軸に直交する方向から、時計回りを正方向として−９０°〜＋９０°の範囲で測ったとき、
１つのサブピクセルの中で、θ１の符号とΘ２の符号とが同じであり、かつ、１つのサブピクセルの中で、Θ３の符号とΘ４の符号とが互いに逆であり、かつ、全てのサブピクセルにおいて、θ１の符号が同じであり、かつ、全てのサブピクセルにおいて、下記（１）ないし（６）式を満足することを特徴とする液晶表示装置。
（１）０°≦｜θ１−Θ２｜≦２°
（２）１０°≦｜Θ２｜≦８０°
（３）１°≦｜Θ３｜≦２０°
（４）１°≦｜Θ４｜≦２０°
（５）０°≦｜Θ３−Θ４｜≦２°
（６）０°≦｜Θ２−θ５｜≦２°、あるいは、８８°≦｜Θ２−θ５｜≦９２°
【請求項５】
前記Θ２は、１０°≦｜Θ２｜≦４５°を満足することを特徴とする請求項４に記載の液晶表示装置。
【請求項６】
前記第２の基準方向と前記第１配向膜の配向軸に直交する方向との交差角の中で狭い方の角度をΘ６、
前記第２の基準方向と前記第１偏光膜の吸収軸との交差角の中で狭い方の角度をθ７とし、
Θ６、θ７を前記第２の基準方向から時計回りを正方向として−９０°〜＋９０°の範囲で測ったとき、０°≦｜Θ２−Θ６｜≦２°、８９°≦｜θ５−θ７｜≦９１°を満足することを特徴とする請求項４または請求項５に記載の液晶表示装置。
【請求項７】
前記複数のサブピクセルの配置は、デルタ配置であり、
前記θ１は、１０°≦｜θ１｜≦１５°を満足することを特徴とする請求項１ないし請求項６のいずれか１項に記載の液晶表示装置。
【請求項８】
第１基板と、前記第１基板よりも観察者側に配置される第２基板と、前記第１基板と前記第２基板との間に挟持されるポジ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち長辺方向に延在する線状部分Ａと線状部分Ｂとを有し、
前記表示領域の任意の一辺に沿った第１の方向を基準方向とし、
前記基準方向と前記第２配向膜の配向軸との交差角の中で狭い方の角度をφ１、
前記第２配向膜の配向軸と前記第１電極の前記線状部分Ａの延在方向との交差角の中で狭い方の角度をφ２、
前記第２配向膜の配向軸と前記第１電極の前記線状部分Ｂの延在方向との交差角の中で狭い方の角度をφ３、
前記基準方向と前記第２偏光膜の吸収軸との交差角の中で狭い方の角度をφ４とし、
それぞれ、φ１、φ４を前記基準方向から、φ２、φ３を前記第２配向膜の配向軸から、時計回りを正方向として−９０°〜＋９０°の範囲で測ったとき、
１つのサブピクセルの中で、φ２の符号とφ３の符号とが互いに逆であり、かつ、全てのサブピクセルにおいて、φ１の符号が同じであり、かつ、全てのサブピクセルにおいて、下記（１）ないし（５）式を満足することを特徴とする液晶表示装置。
（１）１０°≦｜φ１｜≦８０°
（２）１°≦｜φ２｜≦２０°
（３）１°≦｜φ３｜≦２０°
（４）０°≦｜φ２−φ３｜≦２°
（５）０°≦｜φ１−φ４｜≦２°、あるいは、８８°≦｜φ１−φ４｜≦９２°
【請求項９】
前記φ１は、１０°≦｜φ１｜≦４５°を満足することを特徴とする請求項８に記載の液晶表示装置。
【請求項１０】
前記基準方向と前記第１配向膜の配向軸との交差角の中で狭い方の角度をφ５、
前記基準方向と前記第１偏光膜の吸収軸との交差角の中で狭い方の角度をφ６とし、
φ５、φ６を前記基準方向から時計回りを正方向として−９０°〜＋９０°の範囲で測ったとき、０°≦｜φ１−φ５｜≦２°、８９°≦｜φ４−φ６｜≦９１°を満足することを特徴とする請求項８または請求項９に記載の液晶表示装置。
【請求項１１】
前記第１基板は、前記各サブピクセルに映像信号を入力する複数の映像線を有し、
前記映像線は、局所的に屈曲しながら全体として前記基準方向に延在し、
前記各サブピクセルにおいて、前記複数の映像線の各映像線は、前記第１電極の前記線状部分Ａに対応する部分Ａと、前記第１電極の前記線状部分Ｂに対応する部分Ｂとを有し、
前記各映像線の前記部分Ａと、前記各映像線の前記部分Ｂとは、前記基準方向に対する傾斜角がそれぞれ異なっており、
前記基準方向と前記各映像線の前記部分Ａの延在方向との交差角の中で狭い方の角度をφ７、
前記基準方向と前記各映像線の前記部分Ｂの延在方向との交差角の中で狭い方の角度をφ８とし、
φ７、φ８を前記基準方向から時計回りを正方向として−９０°〜＋９０°の範囲で測ったとき、
１つのサブピクセルの中で、φ１の符号とφ７の符号とφ８の符号とが全て同じ、または、１つのサブピクセルの中で、φ１の符号とφ７の符号とが同じで、φ８が０°であることを特徴とする請求項８ないし請求項１０のいずれか１項に記載の液晶表示装置。
【請求項１２】
前記φ１、φ２、φ３、φ７、φ８は、０°≦｜（φ１＋φ２）−φ７｜≦２°、０°≦｜（φ１＋φ３）−φ８｜≦２°を満足することを特徴とする請求項１１に記載の液晶表示装置。
【請求項１３】
前記φ７、φ８は、１０°≦｜φ７｜≦６５°、０°≦｜φ８｜≦２°を満足することを特徴とする請求項１２に記載の液晶表示装置。
【請求項１４】
第１基板と、前記第１基板よりも観察者側に配置される第２基板と、前記第１基板と前記第２基板との間に挟持されるネガ型液晶とを有する液晶表示パネルを備え、
前記液晶表示パネルは、表示領域内に複数のサブピクセルを有し、
前記複数のサブピクセルの各サブピクセルは、前記第１基板上に形成された第１電極と、前記第１基板上に形成された第２電極とを有し、
前記第１電極と前記第２電極との間の電位差によって電界を発生させて前記液晶を駆動する液晶表示装置であって、
前記第１基板は、前記液晶側の面に配置される第１配向膜と、
前記液晶と反対側の面に配置される第１偏光膜とを有し、
前記第２基板は、前記液晶側の面に配置される第２配向膜と、
前記液晶と反対側の面に配置される第２偏光膜とを有し、
前記第１電極は、前記各サブピクセルの長辺と短辺とのうち長辺方向に延在する線状部分Ａと線状部分Ｂとを有し、
前記表示領域の任意の一辺に沿った第１の方向を基準方向とし、
前記基準方向と前記第２配向膜の配向軸に直交する方向との交差角の中で狭い方の角度をΦ１、
前記第２配向膜の配向軸に直交する方向と前記第１電極の前記線状部分Ａの延在方向との交差角の中で狭い方の角度をΦ２、
前記第２配向膜の配向軸と前記第１電極の前記線状部分Ｂの延在方向との交差角の中で狭い方の角度をΦ３、
前記基準方向と前記第２偏光膜の吸収軸との交差角の中で狭い方の角度をφ４とし、
それぞれ、Φ１、φ４を前記基準方向から、Φ２、Φ３を前記第２配向膜の配向軸に直交する方向から、時計回りを正方向として−９０°〜＋９０°の範囲で測ったとき、
１つのサブピクセルの中で、Φ２の符号とΦ３の符号とが互いに逆であり、かつ、全てのサブピクセルにおいて、Φ１の符号が同じであり、かつ、全てのサブピクセルにおいて、下記（１）ないし（５）式を満足することを特徴とする液晶表示装置。
（１）１０°≦｜Φ１｜≦８０°
（２）１°≦｜Φ２｜≦２０°
（３）１°≦｜Φ３｜≦２０°
（４）０°≦｜Φ２−Φ３｜≦２°
（５）０°≦｜Φ１−φ４｜≦２°、あるいは、８８°≦｜Φ１−φ４｜≦９２°
【請求項１５】
前記Φ１は、１０°≦｜Φ１｜≦４５°を満足することを特徴とする請求項１４に記載の液晶表示装置。
【請求項１６】
前記基準方向と前記第１配向膜の配向軸に直交する方向との交差角の中で狭い方の角度をΦ５、
前記基準方向と前記第１偏光膜の吸収軸との交差角の中で狭い方の角度をφ６とし、
Φ５、φ６を前記基準方向から時計回りを正方向として−９０°〜＋９０°の範囲で測ったとき、０°≦｜Φ１−Φ５｜≦２°、８９°≦｜φ４−φ６｜≦９１°を満足することを特徴とする請求項１４または請求項１５に記載の液晶表示装置。
【請求項１７】
前記第１基板は、前記各サブピクセルに映像信号を入力する複数の映像線を有し、
前記映像線は、局所的に屈曲しながら全体として前記基準方向に延在し、
前記各サブピクセルにおいて、前記複数の映像線の各映像線は、前記第１電極の前記線状部分Ａに対応する部分Ａと、前記第１電極の前記線状部分Ｂに対応する部分Ｂとを有し、
前記各映像線の前記部分Ａと、前記各映像線の前記部分Ｂとは、前記基準方向に対する傾斜角がそれぞれ異なっており、
前記基準方向と前記各映像線の前記部分Ａの延在方向との交差角の中で狭い方の角度をφ７、
前記基準方向と前記各映像線の前記部分Ｂの延在方向との交差角の中で狭い方の角度をφ８とし、
φ７、φ８を前記基準方向から時計回りを正方向として−９０°〜＋９０°の範囲で測ったとき、
１つのサブピクセルの中で、Φ１の符号とφ７の符号とφ８の符号とが全て同じ、または、１つのサブピクセルの中で、Φ１の符号とφ７の符号とが同じで、φ８が０°であることを特徴とする請求項１４ないし請求項１６のいずれか１項に記載の液晶表示装置。
【請求項１８】
前記Φ１、Φ２、Φ３、φ７、φ８は、０°≦｜（Φ１＋Φ２）−φ７｜≦２°、０°≦｜（Φ１＋Φ３）−φ８｜≦２°を満足することを特徴とする請求項１７に記載の液晶表示装置。
【請求項１９】
前記φ７、φ８は、１０°≦｜φ７｜≦６５°、０°≦｜φ８｜≦２°を満足することを特徴とする請求項１８に記載の液晶表示装置。
【請求項２０】
前記複数のサブピクセルの配置は、デルタ配置であり、
前記φ７は、１０°≦｜φ７｜≦３０°を満足することを特徴とする請求項８ないし請求項１９のいずれか１項に記載の液晶表示装置。
【請求項２１】
前記映像線は、隣接する２つのサブピクセルの境界部に折り返し部を有することを特徴とする請求項１ないし請求項７、請求項１１ないし請求項１３、請求項１７ないし請求項２０のいずれか１項に記載の液晶表示装置。
【請求項２２】
前記第２電極は、線状部分を有し、前記第１電極との非重畳部分を有する電極であることを特徴とする請求項１ないし請求項２１のいずれか１項に記載の液晶表示装置。
【請求項２３】
前記第２電極は、絶縁膜を介して前記第１電極の下層に配置され、前記第１電極と重畳する面状の電極であることを特徴とする請求項１ないし請求項２１のいずれか１項に記載の液晶表示装置。
【請求項２４】
前記第１電極は、画素電極であり、
前記第２電極は、対向電極であることを特徴とする請求項１ないし請求項２３のいずれか１項に記載の液晶表示装置。
【請求項２５】
前記第１電極は、対向電極であり、
前記第２電極は、画素電極であることを特徴とする請求項１ないし請求項２３のいずれか１項に記載の液晶表示装置。
【発明の詳細な説明】
【技術分野】
【０００１】
本発明は、液晶表示装置に係り、特に、偏光サングラス対策を施した液晶表示装置に関する。
【背景技術】
【０００２】
アクティブ素子として薄膜トランジスタを使用するＴＦＴ方式の液晶表示パネルは高精細な画像を表示できるため、テレビ、パソコン用ディスプレイ等の表示装置として使用されている。特に、小型のＴＦＴ方式の液晶表示装置は、携帯電話機の表示部として多用されている。
一方、このＴＦＴ方式の液晶表示パネルには、縦電界方式（例えば、ＴＮ方式、ＥＣＢ方式、ＶＡ方式等）の液晶表示パネルと、横電界方式（ＩＰＳ方式ともいう）の液晶表示パネルが知られている。ＩＰＳ方式の液晶表示パネルは広い視野角が得られることが知られている。
一般に、ＩＰＳ方式の液晶表示パネルは、第１基板（以下、ＴＦＴ基板ともいう）と、第２基板（以下、対向基板ともいう）と、第１基板と第２基板との間に挟持された液晶とを有して構成される。そして、第１基板は、液晶側の面に配置される第１配向膜と、液晶と反対側の面に配置される第１偏光膜とを有し、第２基板は、液晶側の面に配置される第２配向膜と、液晶と反対側の面に配置される第２偏光膜とを有する。
また、液晶表示パネルでは、隣接する２本の走査線（ゲート線ともいう。）と、隣接する２本の映像線（ドレイン線ともいう。）とで囲まれる領域に、走査線からの走査信号によってオンする薄膜トランジスタと、映像線からの映像信号が前述の薄膜トランジスタを介して供給される画素電極とが形成されて、所謂、サブピクセルが構成される。
【０００３】
従来、ＩＰＳ方式の液晶表示パネルでは、矩形形状の表示領域の長辺、あるいは、短辺のいずれか一方に平行になるように映像線（ＤＬ）が配置され、当該映像線（ＤＬ）に直交するように走査線（ＧＬ）が配置される。
また、第１配向膜の配向軸（または、ラビング方向）と、第２配向膜の配向軸とは同一方向とされ、画素電極（ＰＸ）の線状部分は、第１配向膜の配向軸（あるいは第２配向膜の配向軸）と、画素電極（ＰＸ）の線状部分の延在方向との交差角の中で狭い方の角度が、所定の角度（以下、プレツイスト角という、通常は、−２０°〜２０°程度とされる）となるように形成される。
さらに、第１偏光膜の吸収軸と第２偏光膜の吸収軸とが互いに直交し、かつ、第１偏光膜の吸収軸、あるいは、第２偏光膜の吸収軸のいずれか一方が、第１配向膜の配向軸および第２の配向軸と一致するようにされる。
前述したように、ＩＰＳ方式の液晶表示パネルは広い視野角が得られることが知られているが、このＩＰＳ方式の液晶表示パネルの視野角をさらに広げる技術として、各サブピクセルを２つの領域に分け、それぞれの領域において、液晶に異なる方向の電界を与える方式の液晶表示装置（以下、マルチドメイン方式の液晶表示装置という）が知られている。尚、各サブピクセルを２つの領域に分けず、１方向のみに電界を与える方式の液晶表示装置は、シングルドメイン方式の液晶表示装置と呼ばれる。マルチドメイン方式の方が、シングルドメイン方式よりも視野角特性が優れている。
【０００４】
図１１は、従来のＩＰＳ方式のマルチドメイン方式の液晶表示パネルの電極構造の一例を説明するための図である。
図１１に示す電極構造では、図示しない対向電極は面状に形成され、画素電極（ＰＸ）は、複数のスリット（ＳＬＴ）を有する電極とされる。ここで、スリット（ＳＬＴ）で分割された部分が画素電極（ＰＸ）の線状部分（櫛歯電極）（ＫＳＢ）となる。画素電極（ＰＸ）および対向電極は、例えば、ＩＴＯ（Indium Tin Oxide）等の透明導電膜で構成される。図１１では、画素電極（ＰＸ）の線状部分（ＫＳＢ）の延在方向が、各サブピクセルの長辺と短辺とのうち短辺方向に延在している。
さらに、線状部分を有する画素電極（ＰＸ）と面状の対向電極とが、層間絶縁膜を介して積層されており、画素電極（ＰＸ）と対向電極との間に形成されるアーチ状の電気力線が液晶層を貫くように分布することにより液晶層（ＬＣ）を配向変化させる。
図１１では、液晶の初期配向方向（ＨＬＣ）は、走査線（ＧＬ）の延在方向に対して平行な方向となっている。また、各サブピクセルの領域が、２つの領域（図１１のＡＲＡとＡＲＢの２つ）に分割されており、当該分割されたＡＲＡの領域のスリット（ＳＬＴ）と、ＡＲＢの領域のスリット（ＳＬＴ）とは、液晶の初期配向方向（ＨＬＣ）に対して線対称に形成される。
これにより、画素電極（ＰＸ）と対向電極（ＣＴ）との間に印加される電界方向に対して、ＡＲＡの領域の液晶分子の回転方向と、ＡＲＢの領域の液晶分子の回転方向とを、互いに逆方向となし、広視野角を実現するようにしている。
【０００５】
図１２は、従来のＩＰＳ方式のマルチドメイン方式の液晶表示パネルの電極構造の他の例を説明するための平面図である。
図１２に示す電極構造では、画素電極（ＰＸ）の線状部分（ＫＳＢ）の延在方向が、各サブピクセルの長辺と短辺とのうち長辺方向に延在している。また、液晶の初期配向方向（ＨＬＣ）は、映像線（ＤＬ）が全体として延在する延在方向（映像線（ＤＬ）は屈曲しながら延在するが、ここでいう全体として延在する延在方向とは、局所的な延在方向ではなく、映像線（ＤＬ）が全体として延在する方向を意味する）に対して平行な方向となっている。また、各サブピクセルの領域が、Ｌｃｅｎの中心線を境にして２つの領域（図１２のＡＲＡとＡＲＢの２つ）に分割されており、スリット（ＳＬＴ）は、Ｌｃｅｎの中心線に対する傾斜角が、分割されたＡＲＡの領域と、ＡＲＢの領域とで異なっており、スリット（ＳＬＴ）は、Ｌｃｅｎの中心線を挟んで対向するように形成されている。
これにより、画素電極（ＰＸ）と対向電極（ＣＴ）との間に印加される電界方向に対して、ＡＲＡの領域の液晶分子の回転方向と、ＡＲＢの領域の液晶分子の回転方向とを、互いに逆方向となし、広視野角を実現するようにしている。
図１１、図１２の何れの場合も、画素電極（ＰＸ）と対向電極とがともに同じ基板上に形成され、画素電極（ＰＸ）と対向電極との間の電位差によって電界を発生させて液晶を駆動する。
なお、図１１、図１２において、ａ−Ｓｉは半導体層、ＣＨは、ソース電極として機能する導電層（ＳＤ）と画素電極（ＰＸ）とを接続するためのコンタクトホールであり、ＣＨＫは、対向電極に形成された開口部である。図１１、図１２ではスリット（ＳＬＴ）の両端が閉じているが、スリット（ＳＬＴ）の一端が開放されていても良い。
【発明の開示】
【発明が解決しようとする課題】
【０００６】
サングラスの中には偏光特性を持つものが存在し、偏光サングラスは左右方向に吸収軸を持っている。このため、観察者側の偏光膜の吸収軸が、偏光サングラスの吸収軸と直交してしまうと、観察者が偏光サングラスを掛けている場合に画像が見えない状況が発生する。また、直交から若干ずれている場合でも、表示が暗くなってしまうという問題がある。
観察者側の偏光膜の吸収軸と、偏光サングラスの吸収軸とを平行に配置すれば、表示が暗くなるという問題は回避できる。しかしながら、近年では、例えばＰＣ用モニタや携帯用端末などにおいて、液晶表示パネルを９０°回転させて用いることが可能な液晶表示装置が存在する。その場合、観察者が偏光サングラスを掛けていると、液晶表示パネルの回転前または回転後の何れか一方では表示が暗くなってしまうという問題が発生する。
この偏光サングラス対策のためには、観察者側の偏光膜の吸収軸を、０°、９０°から１０°以上外れた角度である１０°〜８０°、または−１０°〜−８０°、望ましくは、３０°以上外れた角度である３０°〜６０°、または−３０°〜−６０°にする必要がある。なお、０°は、映像線（ＤＬ）の延在方向（映像線（ＤＬ）が屈曲する場合は全体として延在する方向）、また、９０°は、映像線（ＤＬ）の延在方向（映像線（ＤＬ）が屈曲する場合は全体として延在する方向）に直交する方向であり、角度は、０°から時計回りに測定した角度である。また、本明細書において、吸収軸や配向軸や延在方向はベクトルではないので、０°の方向は±１８０°の方向と同じであり、９０°の方向は−９０°の方向と同じである。
縦電界方式の液晶表示パネルであれば、観察者側の偏光膜の吸収軸の方向は設計自由度が高いが、ＩＰＳ方式の液晶表示パネルでは、液晶分子の回転方向を制御する等の理由により、第１配向膜および第２配向膜の配向軸として、画素電極の線状部分の延在方向に対して、プレツイスト角だけ傾斜させる必要があり、観察者側の偏光膜の吸収軸の方向を画素電極の線状部分の延在方向と無関係に配置できないという、ＩＰＳ方式の液晶表示パネル特有の問題があった。
ここで、ＩＰＳ方式のうち、シングルドメイン方式の場合は、観察者側の配向膜の配向軸および観察者側の偏光膜の吸収軸は、プレツイスト角の分だけ前述した０°または９０°の方向から外れた構造をとることができる。
しかしながら、ＩＰＳ方式のうち、マルチドメイン方式の場合は、図１１および図１２で説明したように、観察者側の配向膜の配向軸および観察者側の偏光膜の吸収軸は、０°または９０°の方向に設定されていたため、観察者が偏光サングラスを掛けていると、表示が見えにくくなる場合が発生する。
本発明は、前記従来技術の問題点を解決するためになされたものであり、本発明の目的は、液晶表示装置において、偏光サングラス対策等のために、観察者側の偏光膜の吸収軸を任意の方向に設定可能な技術を提供することにある。
本発明の前記ならびにその他の目的と新規な特徴は、本明細書の記述及び添付図面によって明らかにする。
【課題を解決するための手段】
【０００７】
本願において開示される発明のうち、代表的なものの概要を簡単に説明すれば、下記の通りである。
（１）第１基板と、前記第１基板よりも観察者側に配置される第２基板と、前記第１基板と前記第２基板との間に挟持されるポジ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記各サブピクセルに映像信号を入力する複数の映像線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち短辺方向に延在する線状部分Ａと線状部分Ｂとを有し、前記映像線は、局所的に屈曲しながら全体として前記液晶表示パネルの前記表示領域の任意の一辺に沿った第１の方向に延在し、前記第１の方向を第１の基準方向、前記第１の方向に直交する方向を第２の基準方向とし、前記第１の基準方向と前記映像線の局所的な延在方向との交差角の中で狭い方の角度をθ１、前記第２の基準方向と前記第２配向膜の配向軸との交差角の中で狭い方の角度をθ２、前記第２配向膜の配向軸と前記第１電極の前記線状部分Ａの延在方向との交差角の中で狭い方の角度をθ３、前記第２配向膜の配向軸と前記第１電極の前記線状部分Ｂの延在方向との交差角の中で狭い方の角度をθ４、前記第２の基準方向と前記第２偏光膜の吸収軸との交差角の中で狭い方の角度をθ５とし、それぞれ、θ１を前記第１の基準方向から、θ２、θ５を前記第２の基準方向から、θ３、θ４を前記第２配向膜の配向軸から、時計回りを正方向として−９０°〜＋９０°の範囲で測ったとき、１つのサブピクセルの中で、θ１の符号とθ２の符号とが同じであり、かつ、１つのサブピクセルの中で、θ３の符号とθ４の符号とが互いに逆であり、かつ、全てのサブピクセルにおいて、θ１の符号が同じであり、かつ、全てのサブピクセルにおいて、下記（１）ないし（６）式を満足する。
（１）０°≦｜θ１−θ２｜≦２°
（２）１０°≦｜θ２｜≦８０°
（３）１°≦｜θ３｜≦２０°
（４）１°≦｜θ４｜≦２０°
（５）０°≦｜θ３−θ４｜≦２°
（６）０°≦｜θ２−θ５｜≦２°、あるいは、８８°≦｜θ２−θ５｜≦９２°
【０００８】
（２）（１）において、前記θ２は、１０°≦｜θ２｜≦４５°を満足する。
（３）（１）または（２）において、前記第２の基準方向と前記第１配向膜の配向軸との交差角の中で狭い方の角度をθ６、前記第２の基準方向と前記第１偏光膜の吸収軸との交差角の中で狭い方の角度をθ７とし、θ６、θ７を前記第２の基準方向から時計回りを正方向として−９０°〜＋９０°の範囲で測ったとき、０°≦｜θ２−θ６｜≦２°、８９°≦｜θ５−θ７｜≦９１°を満足する。
【０００９】
（４）第１基板と、前記第１基板よりも観察者側に配置される第２基板と、前記第１基板と前記第２基板との間に挟持されるネガ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記各サブピクセルに映像信号を入力する複数の映像線と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち短辺方向に延在する線状部分Ａと線状部分Ｂとを有し、前記映像線は、局所的に屈曲しながら全体として前記液晶表示パネルの前記表示領域の任意の一辺に沿った第１の方向に延在し、前記第１の方向を第１の基準方向、前記第１の方向に直交する方向を第２の基準方向とし、前記第１の基準方向と前記映像線の局所的な延在方向との交差角の中で狭い方の角度をθ１、前記第２の基準方向と前記第２配向膜の配向軸に直交する方向との交差角の中で狭い方の角度をΘ２、前記第２配向膜の配向軸に直交する方向と前記第１電極の前記線状部分Ａの延在方向との交差角の中で狭い方の角度をΘ３、前記第２配向膜の配向軸に直交する方向と前記第１電極の前記線状部分Ｂの延在方向との交差角の中で狭い方の角度をΘ４、前記第２の基準方向と前記第２偏光膜の吸収軸との交差角の中で狭い方の角度をθ５とし、それぞれ、θ１を前記第１の基準方向から、Θ２、θ５を前記第２の基準方向から、Θ３、Θ４を前記第２配向膜の配向軸に直交する方向から、時計回りを正方向として−９０°〜＋９０°の範囲で測ったとき、１つのサブピクセルの中で、θ１の符号とΘ２の符号とが同じであり、かつ、１つのサブピクセルの中で、Θ３の符号とΘ４の符号とが互いに逆であり、かつ、全てのサブピクセルにおいて、θ１の符号が同じであり、かつ、全てのサブピクセルにおいて、下記（１）ないし（６）式を満足する。
（１）０°≦｜θ１−Θ２｜≦２°
（２）１０°≦｜Θ２｜≦８０°
（３）１°≦｜Θ３｜≦２０°
（４）１°≦｜Θ４｜≦２０°
（５）０°≦｜Θ３−Θ４｜≦２°
（６）０°≦｜Θ２−θ５｜≦２°、あるいは、８８°≦｜Θ２−θ５｜≦９２°
【００１０】
（５）（４）において、前記Θ２は、１０°≦｜Θ２｜≦４５°を満足する。
（６）（４）または（５）において、前記第２の基準方向と前記第１配向膜の配向軸に直交する方向との交差角の中で狭い方の角度をΘ６、前記第２の基準方向と前記第１偏光膜の吸収軸との交差角の中で狭い方の角度をθ７とし、Θ６、θ７を前記第２の基準方向から時計回りを正方向として−９０°〜＋９０°の範囲で測ったとき、０°≦｜Θ２−Θ６｜≦２°、８９°≦｜θ５−θ７｜≦９１°を満足する。
（７）（１）ないし（６）の何れかにおいて、前記複数のサブピクセルの配置は、デルタ配置であり、前記θ１は、１０°≦｜θ１｜≦１５°を満足する。
【００１１】
（８）第１基板と、前記第１基板よりも観察者側に配置される第２基板と、前記第１基板と前記第２基板との間に挟持されるポジ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち長辺方向に延在する線状部分Ａと線状部分Ｂとを有し、前記表示領域の任意の一辺に沿った第１の方向を基準方向とし、前記基準方向と前記第２配向膜の配向軸との交差角の中で狭い方の角度をφ１、前記第２配向膜の配向軸と前記第１電極の前記線状部分Ａの延在方向との交差角の中で狭い方の角度をφ２、前記第２配向膜の配向軸と前記第１電極の前記線状部分Ｂの延在方向との交差角の中で狭い方の角度をφ３、前記基準方向と前記第２偏光膜の吸収軸との交差角の中で狭い方の角度をφ４とし、それぞれ、φ１、φ４を前記基準方向から、φ２、φ３を前記第２配向膜の配向軸から、時計回りを正方向として−９０°〜＋９０°の範囲で測ったとき、１つのサブピクセルの中で、φ２の符号とφ３の符号とが互いに逆であり、かつ、全てのサブピクセルにおいて、φ１の符号が同じであり、かつ、全てのサブピクセルにおいて、下記（１）ないし（５）式を満足する。
（１）１０°≦｜φ１｜≦８０°
（２）１°≦｜φ２｜≦２０°
（３）１°≦｜φ３｜≦２０°
（４）０°≦｜φ２−φ３｜≦２°
（５）０°≦｜φ１−φ４｜≦２°、あるいは、８８°≦｜φ１−φ４｜≦９２°
【００１２】
（９）（８）において、前記φ１は、１０°≦｜φ１｜≦４５°を満足する。
（１０）（８）または（９）において、前記基準方向と前記第１配向膜の配向軸との交差角の中で狭い方の角度をφ５、前記基準方向と前記第１偏光膜の吸収軸との交差角の中で狭い方の角度をφ６とし、φ５、φ６を前記基準方向から時計回りを正方向として−９０°〜＋９０°の範囲で測ったとき、０°≦｜φ１−φ５｜≦２°、８９°≦｜φ４−φ６｜≦９１°を満足する。
（１１）（８）ないし（１０）の何れかにおいて、前記第１基板は、前記各サブピクセルに映像信号を入力する複数の映像線を有し、前記映像線は、局所的に屈曲しながら全体として前記基準方向に延在し、前記各サブピクセルにおいて、前記複数の映像線の各映像線は、前記第１電極の前記線状部分Ａに対応する部分Ａと、前記第１電極の前記線状部分Ｂに対応する部分Ｂとを有し、前記各映像線の前記部分Ａと、前記各映像線の前記部分Ｂとは、前記基準方向に対する傾斜角がそれぞれ異なっており、前記基準方向と前記各映像線の前記部分Ａの延在方向との交差角の中で狭い方の角度をφ７、前記基準方向と前記各映像線の前記部分Ｂの延在方向との交差角の中で狭い方の角度をφ８とし、φ７、φ８を前記基準方向から時計回りを正方向として−９０°〜＋９０°の範囲で測ったとき、１つのサブピクセルの中で、φ１の符号とφ７の符号とφ８の符号とが全て同じ、または、１つのサブピクセルの中で、φ１の符号とφ７の符号とが同じで、φ８が０°である。
（１２）（１１）において、前記φ１、φ２、φ３、φ７、φ８は、０°≦｜（φ１＋φ２）−φ７｜≦２°、０°≦｜（φ１＋φ３）−φ８｜≦２°を満足する。
（１３）（１２）において、前記φ７、φ８は、１０°≦｜φ７｜≦６５°、０°≦｜φ８｜≦２°を満足する。
【００１３】
（１４）第１基板と、前記第１基板よりも観察者側に配置される第２基板と、前記第１基板と前記第２基板との間に挟持されるネガ型液晶とを有する液晶表示パネルを備え、前記液晶表示パネルは、表示領域内に複数のサブピクセルを有し、前記複数のサブピクセルの各サブピクセルは、前記第１基板上に形成された第１電極と、前記第１基板上に形成された第２電極とを有し、前記第１電極と前記第２電極との間の電位差によって電界を発生させて前記液晶を駆動する液晶表示装置であって、前記第１基板は、前記液晶側の面に配置される第１配向膜と、前記液晶と反対側の面に配置される第１偏光膜とを有し、前記第２基板は、前記液晶側の面に配置される第２配向膜と、前記液晶と反対側の面に配置される第２偏光膜とを有し、前記第１電極は、前記各サブピクセルの長辺と短辺とのうち長辺方向に延在する線状部分Ａと線状部分Ｂとを有し、前記表示領域の任意の一辺に沿った第１の方向を基準方向とし、前記基準方向と前記第２配向膜の配向軸に直交する方向との交差角の中で狭い方の角度をΦ１、前記第２配向膜の配向軸に直交する方向と前記第１電極の前記線状部分Ａの延在方向との交差角の中で狭い方の角度をΦ２、前記第２配向膜の配向軸と前記第１電極の前記線状部分Ｂの延在方向との交差角の中で狭い方の角度をΦ３、前記基準方向と前記第２偏光膜の吸収軸との交差角の中で狭い方の角度をφ４とし、それぞれ、Φ１、φ４を前記基準方向から、Φ２、Φ３を前記第２配向膜の配向軸に直交する方向から、時計回りを正方向として−９０°〜＋９０°の範囲で測ったとき、１つのサブピクセルの中で、Φ２の符号とΦ３の符号とが互いに逆であり、かつ、全てのサブピクセルにおいて、Φ１の符号が同じであり、かつ、全てのサブピクセルにおいて、下記（１）ないし（５）式を満足する。
（１）１０°≦｜Φ１｜≦８０°
（２）１°≦｜Φ２｜≦２０°
（３）１°≦｜Φ３｜≦２０°
（４）０°≦｜Φ２−Φ３｜≦２°
（５）０°≦｜Φ１−φ４｜≦２°、あるいは、８８°≦｜Φ１−φ４｜≦９２°
【００１４】
（１５）（１４）において、前記Φ１は、１０°≦｜Φ１｜≦４５°を満足する。
（１６）（１４）または（１５）において、前記基準方向と前記第１配向膜の配向軸に直交する方向との交差角の中で狭い方の角度をΦ５、前記基準方向と前記第１偏光膜の吸収軸との交差角の中で狭い方の角度をφ６とし、Φ５、φ６を前記基準方向から時計回りを正方向として−９０°〜＋９０°の範囲で測ったとき、０°≦｜Φ１−Φ５｜≦２°、８９°≦｜φ４−φ６｜≦９１°を満足する。
（１７）（１４）ないし（１６）の何れかにおいて、前記第１基板は、前記各サブピクセルに映像信号を入力する複数の映像線を有し、前記映像線は、局所的に屈曲しながら全体として前記基準方向に延在し、前記各サブピクセルにおいて、前記複数の映像線の各映像線は、前記第１電極の前記線状部分Ａに対応する部分Ａと、前記第１電極の前記線状部分Ｂに対応する部分Ｂとを有し、前記各映像線の前記部分Ａと、前記各映像線の前記部分Ｂとは、前記基準方向に対する傾斜角がそれぞれ異なっており、前記基準方向と前記各映像線の前記部分Ａの延在方向との交差角の中で狭い方の角度をφ７、前記基準方向と前記各映像線の前記部分Ｂの延在方向との交差角の中で狭い方の角度をφ８とし、φ７、φ８を前記基準方向から時計回りを正方向として−９０°〜＋９０°の範囲で測ったとき、１つのサブピクセルの中で、Φ１の符号とφ７の符号とφ８の符号とが全て同じ、または、１つのサブピクセルの中で、Φ１の符号とφ７の符号とが同じで、φ８が０°である。
（１８）（１７）において、前記Φ１、Φ２、Φ３、φ７、φ８は、０°≦｜（Φ１＋Φ２）−φ７｜≦２°、０°≦｜（Φ１＋Φ３）−φ８｜≦２°を満足する。
（１９）（１８）において、前記φ７、φ８は、１０°≦｜φ７｜≦６５°、０°≦｜φ８｜≦２°を満足する。
（２０）（８）ないし（１９）の何れかにおいて、前記複数のサブピクセルの配置は、デルタ配置であり、前記φ７は、１０°≦｜φ７｜≦３０°を満足する。
【００１５】
（２１）（１）ないし（７）、（１１）ないし（１３）、（１７）ないし（２０）の何れかにおいて、前記映像線は、隣接する２つのサブピクセルの境界部に折り返し部を有する。
（２２）（１）ないし（２１）の何れかにおいて、前記第２電極は、線状部分を有し、前記第１電極との非重畳部分を有する電極である。
（２３）（１）ないし（２１）の何れかにおいて、前記第２電極は、絶縁膜を介して前記第１電極の下層に配置され、前記第１電極と重畳する面状の電極である。
（２４）（１）ないし（２３）の何れかにおいて、前記第１電極は、画素電極であり、前記第２電極は、対向電極である。
（２５）（１）ないし（２３）の何れかにおいて、前記第１電極は、対向電極であり、前記第２電極は、画素電極である。
【発明の効果】
【００１６】
本願において開示される発明のうち代表的なものによって得られる効果を簡単に説明すれば、下記の通りである。
本発明の液晶表示装置によれば、観察者側の偏光膜の吸収軸を任意の方向に設定可能であり、観察者が偏光サングラスを掛けている場合でも画像が見えなくなるのを防止することが可能となる。
【発明を実施するための最良の形態】
【００１７】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示パネルの画素配列を示す模式図である。
本実施例の液晶表示パネルは、表示領域（ＡＲ）内に、従来とは異なり、平行四辺形形状のサブピクセル１０が、縦・横方向に配列される。
図２は本発明の実施例１の液晶表示パネルの電極構造を説明するための模式平面図である。本実施例は、画素電極（ＰＸ）の線状部分（ＫＳＢ）が、各サブピクセルの長辺と短辺とのうち短辺方向に延在する実施例である。なお、図２、および、後述する図８において、ａ−Ｓｉは半導体層、ＣＨは、ソース電極として機能する導電層（ＳＤ）と画素電極（ＰＸ）とを接続するためのコンタクトホールであり、ＣＨＫは、図示しない対向電極（ＣＴ）に形成された開口部である。尚、対向電極は開口部（ＣＨＫ）を除いて映像線（ＤＬ）等をも覆うように画素電極（ＰＸ）よりも下層にほぼ全域に面状に形成されているが、図２では図示を省略した。
本実施例では、ＩＰＳ方式のうち、マルチドメイン方式であるため、各サブピクセルの領域が、２つの領域（図２のＡＲＡとＡＲＢの２つ）に分割されており、当該分割されたＡＲＡの領域のスリット（ＳＬＴ）と、ＡＲＢの領域のスリット（ＳＬＴ）とは、液晶の初期配向方向（図２のＨＬＣ）に対して線対称に形成される。ここで、ＡＲＡの領域のスリット（ＳＬＴ）で分割された線状部分（ＫＳＢ）が画素電極（ＰＸ）の線状部分Ａであり、ＡＲＢの領域のスリット（ＳＬＴ）で分割された線状部分（ＫＳＢ）が画素電極（ＰＸ）の線状部分Ｂである。そして、初期配向方向（ＨＬＣ）および画素電極（ＰＸ）の線状部分（ＫＳＢ）は、図１１に示した従来の構造とは異なり、サブピクセルの傾斜にあわせて全体的に傾斜している。
また、本実施例では、サブピクセルの傾斜に対応して、映像線（ＤＬ）も傾斜させる。さらに、画素配列の直線性を保つために、映像線（ＤＬ）は折り返し部（ＤＬａ）を有し、当該折り返し部（ＤＬａ）と傾斜している部分とで、映像線（ＤＬ）は、『７』の数字の形状となっている。
なお、映像線（ＤＬ）は、部分的に傾いたり、屈曲しながら、すなわち、局所的に屈曲しながら映像線（ＤＬ）全体として見れば、図２に、ＹＲ１の矢印で示す第１の方向（図１に示す表示領域（ＡＲ）の短辺１１−１に沿った方向）に延在する。また、走査線（ＧＬ）は、図２に、ＹＲ２の矢印で示す第２の方向（図１に示す表示領域（ＡＲ）の長辺１１−２に沿った方向）に延在する。
【００１８】
図３は、本発明の実施例の液晶表示装置の１サブピクセルの概略断面構造を示す要部断面図である。なお、図３は、図２のＡ−Ａ’切断線に沿った断面構造を示す断面図である。
本実施例の液晶表示装置では、ポジ型液晶からなる液晶層（ＬＣ）を挟んで、第１基板（ＳＵＢ１；ＴＦＴ基板ともいう。）と、第２基板（ＳＵＢ２；対向基板ともいう。）とが設けられる。本実施例の液晶表示装置では、第２基板（ＳＵＢ２）の主表面側が観察側となっている。
図３に示すように、第１基板（ＳＵＢ１）の液晶層側には、第１基板（ＳＵＢ１）から液晶層（ＬＣ）に向かって順に、走査線（ゲート線ともいう）（ＧＬ）、ゲート絶縁膜（ＧＩ）、半導体層（ａ−Ｓｉ）、映像線（ドレイン線ともいう）（ＤＬ）およびソース電極として機能する導電層（ＳＤ）、層間絶縁膜（ＰＡＳ３）、層間絶縁膜（ＰＡＳ２）、対向電極（ＣＴ；共通電極ともいう）、層間絶縁膜（ＰＡＳ１）、画素電極（ＰＸ）、第１配向膜（ＡＬ１）が形成される。なお、第１基板（ＳＵＢ１）の外側には第１偏光膜（ＰＯＬ１）が配置される。
また、走査線（ＧＬ）の一部（ゲート電極）、ゲート絶縁膜（ＧＩ）、半導体層（ａ−Ｓｉ）、映像線（ＤＬ）の一部（ドレイン電極）および導電層（ソース電極）（ＳＤ）で薄膜トランジスタ（ＴＦＴ）を構成する。
第２基板（ＳＵＢ２）の液晶層側には、第２基板（ＳＵＢ２）から液晶層（ＬＣ）に向かって順に、ブラックマトリクス（遮光膜）（ＢＭ）、赤・緑・青のカラーフィルタ（ＦＩＲ）、平坦化膜（ＯＣ）、第２配向膜（ＡＬ２）が形成される。なお、第２基板（ＳＵＢ２）の外側には第２偏光膜（ＰＯＬ２）が配置される。
【００１９】
また、本実施例では、対向電極（ＣＴ）は面状に形成され、画素電極（ＰＸ）は、複数のスリット（ＳＬＴ）を有する電極とされる。画素電極（ＰＸ）のスリット（ＳＬＴ）で分割された部分が、線状部分（櫛歯電極）（ＫＳＢ）となる。尚、図２ではスリット（ＳＬＴ）の両端が閉じているが、スリット（ＳＬＴ）の一端が開放されていても良い。
一般に、画素電極（ＰＸ）および対向電極（ＣＴ）は、例えば、ＩＴＯ（Indium Tin Oxide）等の透明導電膜で構成される。さらに、画素電極（ＰＸ）と対向電極（ＣＴ）とが、層間絶縁膜（ＰＡＳ１）を介して重畳しており、これによって保持容量を形成している。なお、層間絶縁膜（ＰＡＳ１）は、１層に限定されず、２層以上であっても良い。
また、図２に示すように、走査線（ＧＬ）と、映像線（ＤＬ）とで囲まれる平行四辺形形状の領域内に、１サブピクセルが形成される。この１サブピクセルが形成される領域は、第２基板（ＳＵＢ２）側に形成されるブラックマトリクス（遮光膜）（ＢＭ）によって遮光されることから、実質的な１サブピクセルが形成される領域として機能する領域（ＰＴ）は、ブラックマトリックス（ＢＭ）の開口部（図２において太線で示している）となる。
本実施例の液晶表示装置では、線状部分を有する画素電極（ＰＸ）と面状の対向電極（ＣＴ）とが、層間絶縁膜（ＰＡＳ１）を介して積層されており、画素電極（ＰＸ）と対向電極（ＣＴ）との間に形成されるアーチ状の電気力線が液晶層（ＬＣ）を貫くように分布することにより液晶層（ＬＣ）を配向変化させる。すなわち、画素電極（ＰＸ）と対向電極（ＣＴ）とがともに同じ基板上に形成され、画素電極（ＰＸ）と対向電極（ＣＴ）との間の電位差によって電界を発生させて液晶を駆動する。
【００２０】
［本発明の前提となる技術事項］
本発明の液晶表示パネルでは、偏光膜の吸収軸、および配向膜の配向軸等は、以下の関係を満たすことが前提となっている。
（Ｉ−１）第２偏光膜（ＰＯＬ２）の吸収軸と、第１偏光膜（ＰＯＬ１）の吸収軸とが、誤差±１°の範囲内で直交する。
（Ｉ−２）第２配向膜（ＡＬ２）の配向軸と、第１配向膜（ＡＬ１）の配向軸とが、誤差±２°の範囲内で平行とされる。
（Ｉ−３）第２偏光膜（ＰＯＬ２）の吸収軸と、第２配向膜（ＡＬ２）の配向軸とが、誤差±２°の範囲内で平行あるいは直交する。
（Ｉ−４）画素電極（ＰＸ）の線状部分は、第２配向膜（ＡＬ２）の配向軸に対して、プレツイスト角の角度だけ傾斜して延在し、このプレツイスト角の絶対値は、ポジ型液晶の場合０°〜２０°（望ましくは、５°〜１５°）、ネガ型液晶の場合は７０°〜９０°（望ましくは、７５°〜８５°）である。但し、マルチドメイン方式の場合は、プレツイスト角が０°ではマルチドメインにならないので、プレツイスト角の絶対値は、ポジ型液晶の場合１°〜２０°（望ましくは、５°〜１５°）、ネガ型液晶の場合は７０°〜８９°（望ましくは、７５°〜８５°）である。
【００２１】
この前提条件の基に、第２偏光膜（ＰＯＬ２）の吸収軸を、０°、９０°から１０°以上外れた角度である１０°〜８０°、または−１０°〜−８０°、望ましくは、３０°以上外れた角度である３０°〜６０°、または−３０°〜−６０°にするために、本実施例では、サブピクセルの形状を傾斜させた。なお、０°は、映像線（ＤＬ）の延在方向、また、９０°は、映像線（ＤＬ）の延在方向に直交する方向であり、角度は、０°から時計回りに測定した角度である。
以下、本実施例の液晶表示パネルにおける、画素電極（ＰＸ）の線状部分と、第１および第２配向膜の配向軸との関係について、図４を用いて説明する。なお、図４のｙ軸方向が、第１の方向（ｙ）（表示領域（ＡＲ）の短辺１１−１に沿った方向）、ｘ軸が、第２の方向（ｘ）（表示領域（ＡＲ）の長辺１１−２に沿った方向）である。
本実施例では、次のような関係を満たす。尚、第１の方向（ｙ）、第２の方向（ｘ）、配向軸など、特定の方向を基準方向とし、基準方向から角度を測るときは、基準方向から時計回りを正方向として−９０°〜＋９０°の範囲で測ることとする。
（II−１）第２の方向（ｘ）と、第２偏光膜（ＰＯＬ２）の吸収軸（図４のＡ）との交差角の中で狭い方の角度で、第２の方向（ｘ）から時計回りに測定した角度をθ５とするとき、｜θ５｜を、１０°〜８０°、望ましくは、３０°〜６０°に設定する。
（II−２）（II−１）かつ（Ｉ−３）の条件により、第２の方向（ｘ）と、第２配向膜（ＡＬ２）の配向軸（図４のＢ）との交差角の中で狭い方の角度で、第２の方向（ｘ）から時計回りに測定した角度をθ２とするとき、第２配向膜（ＡＬ２）の配向軸が第２偏光膜（ＰＯＬ２）の吸収軸と略平行または略直交（但し、誤差±２°以内）であるので、｜θ２｜は、１０°〜８０°、望ましくは、３０°〜６０°の範囲に設定する（便宜的に誤差は無視している）。尚、図４では、両者を平行に設定した場合を示している。尚、本実施例では、画素電極（ＰＸ）の線状部分の延在方向がサブピクセルの短辺方向に沿って延在する場合を想定しているので、｜θ２｜を大きくしすぎると、サブピクセルの傾斜が大きくなりすぎて表示の見栄えが悪化する、あるいは、サブピクセルの有効表示領域が狭くなるので、１０°≦｜θ２｜≦４５°の範囲がより望ましい。
なお、第２配向膜（ＡＬ２）の配向軸が第２偏光膜（ＰＯＬ２）の吸収軸と略平行（但し、誤差±２°以内）とは、０°≦｜θ２−θ５｜≦２°を満足することを意味し、第２配向膜（ＡＬ２）の配向軸と第２偏光膜（ＰＯＬ２）の吸収軸とが直交（但し、誤差±２°以内）するとは、８８°≦｜θ２−θ５｜≦９２°を満足することを意味する。
【００２２】
（II−３）第２配向膜（ＡＬ２）の配向軸（図４のＢ）と画素電極（ＰＸ）の線状部分Ａの延在方向（図４のＤ）との交差角の中で狭い方の角度をθ３、第２配向膜（ＡＬ２）の配向軸（図４のＢ）と画素電極（ＰＸ）の線状部分Ｂの延在方向（図４のＥ）との交差角の中で狭い方の角度をθ４とし、第２配向膜（ＡＬ２）の配向軸から時計回りに角度を測るとき、θ３、θ４は（Ｉ−４）の条件であるプレツイスト角を満たす角度とする。これによって、ポジ型液晶の場合は、１°≦｜θ３｜≦２０°、１°≦｜θ４｜≦２０°となる。また、１つのサブピクセルの中で、θ３の符号（正または負）とθ４の符号（正または負）とが互いに逆であり、±２°の誤差の範囲内で絶対値を等しくする。即ち、０°≦｜θ３−θ４｜≦２°とする。図４では、θ３は反時計回りなので負の値となり、θ４は時計回りなので正の値となる。
（II−４）本実施例では、画素電極（ＰＸ）の線状部分の延在方向がサブピクセルの短辺方向に沿って延在する場合を想定しているので、映像線（ＤＬ）の局所的な延在方向（図４のＦ）が、第２配向膜（ＡＬ２）の配向軸（図４のＢ）に直交（但し、誤差±２°以内）するように局所的に傾ける。即ち、第１の方向（ｙ）と映像線（ＤＬ）の局所的な延在方向（図４のＦ）との交差角の中で狭い方の角度で、第１の方向（ｙ）から時計回りに測定した角度をθ１とするとき、０°≦｜θ１−θ２｜≦２°とする。
（II−５）（II−４）により、１つのサブピクセルの中で、θ１の符号とθ２の符号とが同じ符号（図４の場合は正）になる。さらに、以上の構成を、全てのサブピクセルについて成り立たせるために、θ１の符号をすべてのサブピクセルで同じにする。
したがって、サブピクセルの構造としては、前述したように、サブピクセルを傾けて平行四辺形にし、かつ、全てのサブピクセルにおいて同じ方向に（即ち、全て右側、あるいは、全て左側に）傾くことになる。
【００２３】
また、第２の方向（ｘ）と、第１配向膜（ＡＬ１）の配向軸（図４のＣ）との交差角の中で狭い方の角度で、第２の方向（ｘ）から時計回りに測定した角度をθ６、第２の方向（ｘ）と、第１偏光膜（ＰＯＬ１）の吸収軸（図４のＧ）との交差角の中で狭い方の角度で、第２の方向（ｘ）から時計回りに測定した角度をθ７とするとき、前述の（Ｉ−１）、（Ｉ−２）の条件より、０°≦｜θ２−θ６｜≦２°、８９°≦｜θ５−θ７｜≦９１°を満足する。尚、図４の場合は、θ５の値が正なので、θ７の値は負になる。
尚、第２配向膜（ＡＬ２）の配向軸が第２偏光膜（ＰＯＬ２）の吸収軸に略直交（但し、誤差±２°以内）する場合、図４において、ＡとＧを入れ替えればよいだけであり、上述した関係はそのまま成り立つ。その場合、θ５の値は負、θ７の値は正になる。
なお、図５に示すように、画素の傾きの方向を図４の場合と逆にしてもよい。基準方向から反時計回りに角度を測った場合は負の値と定義しているので、この場合も、θ１の符号とθ２の符号とが同じ符号（負）になるとともに、これまでに説明したθ１〜θ７の関係式が成り立つ。さらに、図５では、第２配向膜（ＡＬ２）の配向軸（図５のＢ）が第２偏光膜（ＰＯＬ２）の吸収軸（図５のＡ）に略直交（但し、誤差±２°以内）する場合について図示している。もちろん、第２配向膜（ＡＬ２）の配向軸（図５のＢ）が第２偏光膜（ＰＯＬ２）の吸収軸（図５のＡ）と略平行（但し、誤差±２°以内）な場合は、図５においてＡとＧを入れ替えればよいだけである。
したがって、第１の方向（ｙ）、第２方向（ｘ）、第２配向膜（ＡＬ２）の配向軸から時計回り方向を正方向とし、−９０°〜＋９０°の範囲で測るとすると、θ１〜θ７は、下記（１）式のように一般化できる。
［数１］
（１）０°≦｜θ１−θ２｜≦２°
（２）１０°≦｜θ２｜≦８０°（望ましくは、１０°≦｜θ２｜≦４５°）
（３）１°≦｜θ３｜≦２０°
（４）１°≦｜θ４｜≦２０°
（５）０°≦｜θ３−θ４｜≦２°
（６）０°≦｜θ２−θ５｜≦２°、あるいは、８８°≦｜θ２−θ５｜≦９２°
（７）０°≦｜θ２−θ６｜≦２°
（８）８９°≦｜θ５−θ７｜≦９１°
・・・・・・・・・・・・・・・・・・・・  （１）
また、１つのサブピクセルの中で、θ１の符号とθ２の符号とが同じである。さらに、１つのサブピクセルの中で、θ３の符号とθ４の符号とが互いに逆である。さらに、全てのサブピクセルにおいて、θ１の符号が同じである。
【００２４】
［実施例１の変形例１］
液晶層（ＬＣ）が、ネガ型液晶の場合、θ２の定義を変更すれば、前述の（１）式と同じ関係式が成り立つ。
即ち、ポジ型液晶は、液晶分子の長軸方向が電界方向に回転するのに対して、ネガ型液晶は、液晶分子の長軸方向が電界方向から遠ざかる方向に回転するので、前述のθ２に代えて、図６に示すように、第２の方向（ｘ）と、第２配向膜（ＡＬ２）の配向軸（図６のＢ）に直交する方向（図６のＨ）との交差角の中で狭い方の角度で、時計回りに測定した角度Θ２を使用する。さらに、θ３に代えて、第２配向膜（ＡＬ２）の配向軸と直交する方向（図６のＨ）と画素電極（ＰＸ）の線状部分Ａの延在方向（図６のＤ）との交差角の中で狭い方の角度をΘ３と、θ４に代えて、第２配向膜（ＡＬ２）の配向軸と直交する方向（図６のＨ）と画素電極（ＰＸ）の線状部分Ｂの延在方向（図６のＥ）との交差角の中で狭い方の角度をΘ４として使用すればよい。ここで、Θ３、Θ４は、第２配向膜（ＡＬ２）の配向軸に直交する方向から時計回りに角度を測る。
同様に、前述のθ６に代えて、図６に示すように、第２の方向（ｘ）と、第１配向膜（ＡＬ１）の配向軸（図６のＣ）に直交する方向（図６のＨ）との交差角の中で狭い方の角度で、第２の方向（ｙ）から時計回りに測定した角度Θ６を使用する。
尚、Θ２、Θ３、Θ４、Θ６についても、−９０°〜＋９０°の範囲で測る。
したがって、前述の（１）式は、下記（２）式のようになる。
［数２］
（１）０°≦｜θ１−Θ２｜≦２°
（２）１０°≦｜Θ２｜≦８０°（望ましくは、１０°≦｜Θ２｜≦４５°）
（３）１°≦｜Θ３｜≦２０°
（４）１°≦｜Θ４｜≦２０°
（５）０°≦｜Θ３−Θ４｜≦２°
（６）０°≦｜Θ２−θ５｜≦２°、あるいは、８８°≦｜Θ２−θ５｜≦９２°
（７）０°≦｜Θ２−Θ６｜≦２°
（８）８９°≦｜θ５−θ７｜≦９１°
・・・・・・・・・・・・・・・・・・・・  （２）
また、１つのサブピクセルの中で、θ１の符号とΘ２の符号とが同じである。さらに、１つのサブピクセルの中で、Θ３の符号とΘ４の符号とが互いに逆である。さらに、全てのサブピクセルにおいて、θ１の符号が同じである。
【００２５】
［実施例１の変形例２］
図７は、本実施例１の変形例２の液晶表示パネルの画素配列を示す模式図である。図７に示す液晶表示パネルは、サブピクセルをデルタ配列に配置した液晶表示パネルであり、図７のＹＲ３の矢印で示すように、サブピクセルの重心位置をデルタ配列したものである。このデルタ配列の場合、｜θ１｜の角度を大きくすると、斜めに同じ色が連続する領域が表れるので、｜θ１｜≦１５°が望ましい。
【００２６】
［実施例２］
図８は、本発明の実施例２の液晶表示パネルの電極構造を説明するための模式平面図である。本実施例は、画素電極（ＰＸ）の線状部分（ＫＳＢ）が、各サブピクセルの長辺と短辺とのうち長辺方向に延在する実施例である。
本実施例では、各サブピクセルの領域が、２つの領域（図８のＡＲＡとＡＲＢの２つ）に分割されており、スリット（ＳＬＴ）は、Ｌｃｅｎの中心線に対する傾斜角が、分割されたＡＲＡの領域と、ＡＲＢの領域とで異なっており、スリット（ＳＬＴ）は、Ｌｃｅｎの中心線を挟んで対向するように形成されている。ここで、ＡＲＡの領域のスリット（ＳＬＴ）で分割された線状部分（ＫＳＢ）が画素電極（ＰＸ）の線形部分Ａであり、ＡＲＢの領域のスリット（ＳＬＴ）で分割された線状部分（ＫＳＢ）が画素電極（ＰＸ）の線形部分Ｂである。そして、初期配向方向（ＨＬＣ）および画素電極（ＰＸ）の線状部分（ＫＳＢ）は、図１２に示した従来の構造とは異なり、サブピクセルの傾斜にあわせて全体的に傾斜している。尚、図８ではスリット（ＳＬＴ）の両端が閉じているが、スリット（ＳＬＴ）の一端が開放されていても良い。
また、本実施例でも、画素配列の直線性を保つために、映像線（ＤＬ）は折り返し部（ＤＬａ）を有し、当該折り返し部（ＤＬａ）と傾斜している部分とで、映像線（ＤＬ）は、『７』の数字の形状となっている。
また、映像線（ＤＬ）は、Ｌｃｅｎの中心線に対する傾斜角が、領域（ＡＲＡ）に対応する部分Ａと、領域（ＡＲＢ）に対応する部分Ｂとで異なっており、領域（ＡＲＡ）に対応する部分Ａと、領域（ＡＲＢ）に対応する部分Ｂとは、Ｌｃｅｎの中心線を挟んで対向するように形成されている。
なお、映像線（ＤＬ）は、部分的に傾いたり、屈曲しながら、すなわち、局所的に屈曲しながら映像線（ＤＬ）全体として見れば、図８に、ＹＲ１の矢印で示す第１の方向（図１に示す表示領域（ＡＲ）の短辺１１−１に沿った方向）に延在する。また、走査線（ＧＬ）は、図２に、ＹＲ２の矢印で示す第２の方向（図１に示す表示領域（ＡＲ）の長辺１１−２に沿った方向）に延在する。
【００２７】
図９は、本実施例の液晶表示パネルにおける、第２偏光膜（ＰＯＬ２）の吸収軸と、第２配向膜（ＡＬ２）の配向軸と、画素電極（ＰＸ）の線状部分の延在方向と、第２配向膜（ＡＬ２）の配向軸と、第１偏光膜（ＰＯＬ１）の吸収軸との関係の一例を示す図である。
本実施例では、次のような関係を満たす。尚、第１の方向（ｙ）、第２の方向（ｘ）、配向軸など、特定の方向を基準方向とし、基準方向から角度を測るときは、基準方向から時計回りを正方向として−９０°〜＋９０°の範囲で測ることとする。
（III−１）第１の方向（ｙ）と、第２偏光膜（ＰＯＬ２）の吸収軸（図９のＡ）との交差角の中で狭い方の角度で、第１の方向（ｙ）から時計回りに測定した角度をφ４とするとき、｜φ４｜は、１０°〜８０°、望ましくは、３０°〜６０°に設定する。
（III−２）（III−１）かつ（Ｉ−３）の条件により、第１の方向（ｙ）と、第２配向膜（ＡＬ２）の配向軸（図９のＢ）との交差角の中で狭い方の角度で、第１の方向（ｙ）から時計回りに測定した角度をφ１とするとき、第２配向膜（ＡＬ２）の配向軸が第２偏光膜（ＰＯＬ２）の吸収軸と略平行または略直交（但し、誤差±２°以内）であるので、｜φ１｜は、１０°〜８０°、望ましくは、３０°〜６０°の範囲に設定する（便宜的に誤差は無視している）。尚、図９では、両者を平行に設定した場合を示している。尚、本実施例では、画素電極（ＰＸ）の線状部分の延在方向がサブピクセルの長辺方向に沿って延在する場合を想定しているので、｜φ１｜を大きくしすぎると、サブピクセルの傾斜が大きくなりすぎて表示の見栄えが悪化する、あるいは、サブピクセルの有効表示領域が狭くなるので、１０°≦｜φ１｜≦４５°の範囲がより望ましい。
なお、第２配向膜（ＡＬ２）の配向軸が第２偏光膜（ＰＯＬ２）の吸収軸と略平行（但し、誤差±２°以内）とは、０°≦｜φ１−φ４｜≦２°を満足することを意味し、第２配向膜（ＡＬ２）の配向軸と第２偏光膜（ＰＯＬ２）の吸収軸とが直交（但し、誤差±２°以内）するとは、８８°≦｜φ１−φ４｜≦９２°を満足することを意味する。
【００２８】
（III−３）第２配向膜（ＡＬ２）の配向軸（図９のＢ）と画素電極（ＰＸ）の線状部分Ａの延在方向（図８のＤ）との交差角の中で狭い方の角度をφ２、第２配向膜（ＡＬ２）の配向軸（図４のＢ）と画素電極（ＰＸ）の線状部分Ｂの延在方向（図４のＥ）との交差角の中で狭い方の角度をφ３とし、第２配向膜（ＡＬ２）の配向軸から時計回りに角度を測るとき、φ２、φ３は（Ｉ−４）の条件であるプレツイスト角を満たす角度とする。これによって、ポジ型液晶の場合は、１°≦｜φ２｜≦２０°、１°≦｜φ３｜≦２０°となる。また、１つのサブピクセルの中で、φ２の符号（正または負）とφ３の符号（正または負）とが互いに逆であり、±２°の誤差の範囲内で絶対値を等しくする。即ち、０°≦｜φ２−φ３｜≦２°とする。図９では、φ２は時計回りなので正の値となり、φ３は反時計回りなので負の値となる。
（III−４）本実施例では、画素電極（ＰＸ）の線状部分の延在方向がサブピクセルの長辺方向に沿って延在する場合を想定しているので、映像線（ＤＬ）の領域（ＡＲＡ）に対応する部分Ａの延在方向（図８のＦ）と、第１の方向（ｙ）との交差角の中で狭い方の角度で、第１の方向（ｙ）から時計回りに測定した角度をφ７とするとき、｜φ７｜は、１０°〜６５°が望ましい。また、図９のＤと図９のＦは、±２°の誤差の範囲内で平行とする。即ち、０°≦｜（φ１＋φ２）−φ７｜≦２°とする。
同様に、Ｌｃｅｎの中心線を挟んで、映像線（ＤＬ）の領域（ＡＲＢ）に対応する部分Ｂの延在方向（図８のＧ）と、第１の方向（ｙ）との交差角の中で狭い方の角度で、第１の方向（ｙ）から時計回りに測定した角度をφ８とするとき、｜φ８｜は、０°〜２°が望ましい。また、図９のＥと図９のＧは、±２°の誤差の範囲内で平行とする。即ち、０°≦｜（φ１＋φ３）−φ８｜≦２°とする。
また、１つのサブピクセルの中で、φ１の符号とφ７の符号とφ８の符号とが全て同じ、または、１つのサブピクセルの中で、φ１の符号とφ７の符号とが同じで、φ８が０°となる。
（III−５）以上の構成を、全てのサブピクセルについて成り立たせるために、φ１の符号をすべてのサブピクセルで同じにする。
したがって、サブピクセルの構造としては、前述したように、サブピクセルを傾けて平行四辺形にし、かつ、全てのサブピクセルにおいて同じ方向に（即ち、全て右側、あるいは、全て左側に）傾くことになる。
【００２９】
また、第１の方向（ｙ）と、第１配向膜（ＡＬ１）の配向軸（図９のＣ）との交差角の中で狭い方の角度で、第１の方向（ｙ）から時計回りに測定した角度をφ５、第１の方向（ｙ）と、第１偏光膜（ＰＯＬ１）の吸収軸（図４のＨ）との交差角の中で狭い方の角度で、第１の方向（ｙ）から時計回りに測定した角度をφ６とするとき、前述の（Ｉ−１）、（Ｉ−２）の条件より、０°≦｜φ１−φ５｜≦２°、８９°≦｜φ４−φ６｜≦９１°を満足する。尚、図９の場合は、φ４の値が正なので、φ６の値は負になる。
尚、第２配向膜（ＡＬ２）の配向軸が第２偏光膜（ＰＯＬ２）の吸収軸に略直交（但し、誤差±２°以内）する場合、図９において、ＡとＨを入れ替えればよいだけであり、上述した関係はそのまま成り立つ。その場合、φ４の値は負、φ６の値は正になる。
なお、図示しないが、画素の傾きの方向を図９の場合と逆にしてもよい。
したがって、第１の方向（ｙ）、第２配向膜（ＡＬ２）の配向軸から時計回り方向を正方向とし、−９０°〜＋９０°の範囲で測るとすると、φ１〜φ８は、下記（３）式のように一般化できる。
［数３］
（１）１０°≦｜φ１｜≦８０°（望ましくは、１０°≦｜φ１｜≦４５°）
（２）１°≦｜φ２｜≦２０°
（３）１°≦｜φ３｜≦２０°
（４）０°≦｜φ２−φ３｜≦２°
（５）０°≦｜φ１−φ４｜≦２°、あるいは、８８°≦｜φ１−φ４｜≦９２°
（６）０°≦｜φ１−φ５｜≦２°
（７）８９°≦｜φ４−φ６｜≦９１°
（８）０°≦｜（φ１＋φ２）−φ７｜≦２°
（９）０°≦｜（φ１＋φ３）−φ８｜≦２°
（１０）１０°≦｜φ７｜≦６５°
（１１）０°≦｜φ８｜≦２°
・・・・・・・・・・・・・・・・・・・・  （３）
また、１つのサブピクセルの中で、φ２の符号とφ３の符号とが互いに逆である。さらに、全てのサブピクセルにおいて、φ１の符号が同じである。
また、１つのサブピクセルの中で、φ１の符号とφ７の符号とφ８の符号とが全て同じ、または、１つのサブピクセルの中で、φ１の符号とφ７の符号とが同じで、φ８が０°となる。
【００３０】
［実施例２の変形例１］
液晶層（ＬＣ）が、ネガ型液晶の場合、φ１に代えて、第１の方向（ｙ）と第２配向膜（ＡＬ２）の配向軸に直交する方向との交差角の中で狭い方の角度Φ１を使用し、さらに、φ２に代えて、第２配向膜（ＡＬ２）の配向軸に直交する方向と画素電極（ＰＸ）の線状部分Ａの延在方向との交差角の中で狭い方の角度Φ２を使用し、φ３に代えて、第２配向膜（ＡＬ２）の配向軸に直交する方向と画素電極（ＰＸ）の線状部分Ｂの延在方向との交差角の中で狭い方の角度Φ３を使用すればよい。ここで、Φ１は第１の方向（ｙ）から、Φ２、Φ３は、第２配向膜（ＡＬ２）の配向軸に直交する方向から、それぞれ時計回りに角度を測る。
同様に、前述のφ５に代えて、第１の方向（ｙ）と第１配向膜（ＡＬ１）の配向軸に直交する方向との交差角の中で狭い方の角度で、第１の方向（ｙ）から時計回りに測定した角度Φ５を使用すればよい。
尚、Φ１、Φ２、Φ３、Φ５についても、−９０°〜＋９０°の範囲で測る。
したがって、前述の（３）式は、下記（４）式のように表される。
［数４］
（１）１０°≦｜Φ１｜≦８０°（望ましくは、１０°≦｜Φ１｜≦４５°）
（２）１°≦｜Φ２｜≦２０°
（３）１°≦｜Φ３｜≦２０°
（４）０°≦｜Φ２−Φ３｜≦２°
（５）０°≦｜Φ１−φ４｜≦２°、あるいは、８８°≦｜Φ１−φ４｜≦９２°
（６）０°≦｜Φ１−Φ５｜≦２°
（７）８９°≦｜φ４−φ６｜≦９１°
（８）０°≦｜（Φ１＋Φ２）−φ７｜≦２°
（９）０°≦｜（Φ１＋Φ３）−φ８｜≦２°
（１０）１０°≦｜φ７｜≦６５°
（１１）０°≦｜φ８｜≦２°
・・・・・・・・・・・・・・・・・・・・  （４）
また、１つのサブピクセルの中で、Φ２の符号とΦ３の符号とが互いに逆である。さらに、全てのサブピクセルにおいて、Φ１の符号が同じである。
また、１つのサブピクセルの中で、Φ１の符号とφ７の符号とφ８の符号とが全て同じ、または、１つのサブピクセルの中で、Φ１の符号とφ７の符号とが同じで、φ８が０°となる。
【００３１】
［実施例２の変形例２］
図１０は、本実施例２の変形例２の液晶表示パネルの画素配列を示す模式図である。図１０に示す液晶表示パネルは、サブピクセルをデルタ配列に配置した液晶表示パネルであり、図１０のＹＲ４の矢印で示すように、サブピクセルの重心位置をデルタ配列したものである。このデルタ配列の場合、φ７の角度を大きくすると、斜めに同じ色が連続する領域が表れるので、｜φ７｜≦３０°が望ましい。
なお、前述の実施例１、実施例２の説明では、層間絶縁膜（ＰＡＳ１）の液晶層（ＬＣ）側に形成される画素電極（ＰＸ）と、層間絶縁膜（ＰＡＳ１）の液晶層（ＬＣ）と反対側に形成される対向電極（ＣＴ）とから成る電極構造を使用した場合について説明したが、電極構造として、図１３に示す電極構造を使用することも可能である。
図１３は、従来のＩＰＳ方式の液晶表示パネルの電極構造の他の例を説明するための平面図である。
図１３に示す電極構造では、画素電極（ＰＸ）と対向電極（ＣＴ）とが、ともに線状部分（櫛歯電極）（ＫＳＢ）を有する電極で構成され、画素電極（ＰＸ）の隣り合う線状部分の間に、対向電極（ＣＴ）の線状部分が配置される点で、これまでに説明してきた電極構造と相異する。また、画素電極（ＰＸ）と対向電極（ＣＴ）とが、同層に配置されていても良いし、絶縁膜を介して異層に配置されていても良い。
この図１３に示す電極構造を、適宜傾斜させて、実施例１、実施例２に適用すればよい。
また、実施例１、実施例２において、層間絶縁膜（ＰＡＳ１）の液晶層（ＬＣ）側に形成される電極を対向電極（ＣＴ）、層間絶縁膜（ＰＡＳ１）の液晶層（ＬＣ）と反対側に形成される電極を画素電極（ＰＸ）としてもよい。この場合には、対向電極（ＣＴ）は、線状部分を有する電極（例えば、複数のスリット（ＳＬＴ）を有する電極）とされ、画素電極（ＰＸ）は面状の電極とされる。
また、図１における１１−１を表示領域（ＡＲ）の長辺、１１−２を表示領域（ＡＲ）の短辺としても良い。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３２】
【図１】本発明の実施例１の液晶表示パネルの画素配列を示す模式図である。
【図２】本発明の実施例１の液晶表示パネルの電極構造を説明するための模式平面図である。
【図３】本発明の実施例１の液晶表示装置の１サブピクセルの概略断面構造を示す要部断面図である。
【図４】本発明の実施例１の液晶表示パネルにおける、画素電極の線状部分と、第１および第２配向膜の配向軸との関係の一例について説明するための図である。
【図５】本発明の実施例１の液晶表示パネルにおける、画素電極の線状部分と、第１および第２配向膜の配向軸との関係の他の例について説明するための図である。
【図６】本発明の実施例１の液晶表示パネルにおいて、液晶層がネガ型液晶の場合に、第１の方向から第２配向膜の配向軸に直交する方向までの角度を説明するための図である。
【図７】本発明の実施例１の変形例２の液晶表示パネルの画素配列を示す模式図である。
【図８】本発明の実施例２の液晶表示パネルの電極構造を説明するための模式平面図である。
【図９】本発明の実施例２の液晶表示パネルにおける、第２偏光膜の吸収軸と、第２配向膜の配向軸と、画素電極の線状部分の延在方向と、第２配向膜の配向軸と、第１偏光膜の吸収軸との関係の一例を示す図である。
【図１０】本発明の実施例２の変形例２の液晶表示パネルの画素配列を示す模式図である。
【図１１】従来のＩＰＳ方式のマルチドメイン方式の液晶表示パネルの電極構造の一例を説明するための図である。
【図１２】従来のＩＰＳ方式のマルチドメイン方式の液晶表示パネルの電極構造の他の例を説明するための平面図である。
【図１３】従来のＩＰＳ方式の液晶表示パネルの電極構造の一例を説明するための平面図である。
【符号の説明】
【００３３】
１０  サブピクセル
１１−１  表示領域の短辺
１１−２  表示領域の長辺
ＡＲ  表示領域
ＬＣ  液晶層
ａ−Ｓｉ  半導体層
ＤＬ  映像線
ＧＬ  走査線
ＤＬａ  折り返し部
ＣＨ  コンタクトホール
ＣＨＫ  開口部
ＳＬＴ  スリット
ＫＳＢ  櫛歯電極
ＳＵＢ１，ＳＵＢ２  基板
ＢＭ  ブラックマトリクス
ＰＡＳ１，ＰＡＳ２，ＰＡＳ３  層間絶縁膜
ＧＩ  ゲート絶縁膜
ＰＸ  画素電極
ＣＴ  対向電極
ＦＩＲ  カラーフィルタ
ＯＣ  平坦化膜
ＡＬ１，ＡＬ２  配向膜
ＰＯＬ１，ＰＯＬ２  偏光膜
ＳＤ  導電層
【図１】
2009115841.tif 000003
【図２】
2009115841.tif 000004
【図３】
2009115841.tif 000005
【図４】
2009115841.tif 000006
【図５】
2009115841.tif 000007
【図６】
2009115841.tif 000008
【図７】
2009115841.tif 000009
【図８】
2009115841.tif 000010
【図９】
2009115841.tif 000011
【図１０】
2009115841.tif 000012
【図１１】
2009115841.tif 000013
【図１２】
2009115841.tif 000014
【図１３】
2009115841.tif 000015